(57)【特許請求の範囲】
【請求項１】
印刷用インクを入れる第１容器と、カバーと、パッド版と、前記カバー内に充満して飽和状態もしくは飽和状態に近い状態になる前記印刷用インクの揮発性溶剤を入れる第２容器と、フレームと、を備え、
前記第１容器および前記カバーは前記フレームに支えられ、
前記パッド板の平らな上面に窪み状の印刷パターン形成部が設けられ、
前記第１容器の底に第１開口部が形成され、前記第1容器の側壁部の下端部は前記第１開口部の縁となり、
前記パッド版は前記第1容器を載せた状態で、前記第1容器の側壁部の下端部に対し摺動可能であり、
前記パッド版の印刷パターン形成部は前記パッド版の摺動により前記第１容器の第１開口部の下側から前記カバーの外の転写位置まで移動可能であり、
前記側壁部の下端部は前記パッド版の摺動により前記パッド版の平らな上面の印刷パターン成形部以外の部分に塗布された前記印刷用インクをかきとることができるように形成され、
前記カバーの下面は開口部であり、前記カバーの開口部の縁は前記パッド版上に配設され、前記カバー内に前記第１容器および前記第２容器が配設されていることを特徴とするパッド印刷用装置。
【請求項２】
請求項１記載のパッド印刷用装置であって、
前記印刷用インクの溶剤を入れる第３容器を備え、
前記第３容器は前記第１容器内にて印刷用インクの上側に配設され、
前記溶剤は揮発性であり、前記溶剤の揮発した気体が前記第1容器の内部に充満して飽和状態になることを特徴とするパッド印刷用装置。
【請求項３】
請求項２記載のパッド印刷用装置であって、
前記第１容器は下側部分と上側部分とに分けられ、
前記下側部分と前記上側部分は分離可能であることを特徴とするパッド印刷用装置。
【請求項４】
請求項３記載のパッド印刷用装置であって、
前記上側部分の内側には前記第３容器を支える支持部が形成され、
前記支持部は複数の部分からなり、前記支持部の複数の部分の間を通って前記第３容器内の溶剤の揮発した気体が前記下側部分内に入り込むことを特徴とするパッド印刷用装置。
【請求項５】
請求項３または４記載のパッド印刷用装置であって、
前記上側部分の上面は第２開口部であり、前記第２開口部を塞ぐ蓋が配設されていることを特徴とするパッド印刷用装置。
【請求項６】
請求項１〜５までのいずれかに記載したパッド印刷用装置であって、
前記パッド版が強磁性体を含み、
前記第１容器内に磁石が配設され、
前記磁石が前記パッド版を磁力で吸引することを特徴とするパッド印刷用装置。
【発明の詳細な説明】
【技術分野】
【０００１】
本発明は、パッド印刷機に使用するパッド印刷用装置に関し、特に長い時間動作させても印刷品質が劣化しないパッド印刷用装置に関するものである。
【背景技術】
【０００２】
従来、パッド印刷用インクを供給する装置として特許文献１に記載したものがある。この場合の装置は、パッド版に塗布されるインクを貯留するインク室を、このインク室の外部および内部へのパッド版の出し入れが可能な状態にして密閉状に形成し、前記インク室内にはこのインク室内を揮発気体が充満した飽和状態で保持する溶剤を収容する溶剤容器を設置したことを特徴とする印刷装置である。
この印刷装置により、印刷作業中インク粘度の経時変化を抑制して粘度を一定に保つことができ、印刷品質を経時的に良化および安定化することができる。
【特許文献１】特開平１０−２７２７５９号公報
【発明の開示】
【発明が解決しようとする課題】
【０００３】
しかし、上述の従来例では、インク室が広くて、インク室の内部および外部へパッド版が出し入れ可能なインク室の出入口が広いので、上記従来の印刷装置を長い時間動作させると、前記インク室の出入口およびパッド版にインクが付着して固化し、印刷品質が劣化するという問題があった。
そこで、本発明が解決しようとする課題は、上述の問題点を解決し、長い時間動作させても印刷品質が劣化しないパッド印刷用装置を提供することである。
【課題を解決するための手段】
【０００４】
上記課題を解決するため、請求項１記載の発明は、印刷用インクを入れる第１容器と、カバーと、パッド版と、前記カバー内に充満して飽和状態もしくは飽和状態に近い状態になる前記印刷用インクの揮発性溶剤（複数の成分からなる前記溶剤の各成分のうち蒸発し易い成分を含むものを含む。）を入れる第２容器と、フレームと、を備え、前記第１容器および前記カバーは前記フレームに支えられ、前記パッド板の平らな上面に窪み状の印刷パターン形成部が設けられ、前記第１容器の底に第１開口部が形成され、前記第１容器の側壁部の下端部は前記第１開口部の縁となり、前記パッド版は前記第１容器を載せた状態で、前記第1容器の側壁部の下端部に対し摺動可能であり、前記パッド版の印刷パターン形成部は前記パッド版の摺動により前記第１容器の第１開口部の下側から前記カバーの外の転写位置まで移動可能である。また、前記側壁部の下端部は前記パッド版の摺動により前記パッド版の平らな上面の印刷パターン成形部以外の部分に塗布された前記印刷用インクをかきとることができるように形成され、前記カバーの下面は開口部であり、前記カバーの開口部の縁は前記パッド版上に配設され、前記カバー内に前記第１容器および前記第２容器が配設されていることを特徴とするパッド印刷用装置である。
【０００５】
請求項１記載の発明により、前記第１容器および前記カバーは前記フレームに支えられている。前記第１容器は底に第１開口部が形成され、前記第１開口部の縁となる側壁部が形成されている。
そして、前記パッド版は前記第１容器を載せた状態で、前記第１容器の側壁部の下端部に対し摺動可能であり、前記側壁部の下端部は前記パッド版の摺動により前記パッド版に塗布された前記印刷用インクの余分な部分をかきとる。
このため、パッド板の印刷パターン形成部を第１容器の下から引き出したときに、パッド版の上面に形成された印刷パターン形成部に印刷用インクが残るとともに、パッド版の上面の印刷パターン形成部以外の部分には印刷用インクが付着しない状態になる。
さらに、前記カバーの下面は開口部であり、前記カバーの開口部の縁は前記パッド板上に載置されている。そして、前記カバー内に前記第１容器および第２容器が配設され、前記第２容器内の溶剤は揮発性であり、その溶剤の揮発気体が前記カバーとパッド板で囲まれた空間内に充満して飽和状態もしくは飽和状態に近い状態になる。
このため、前記カバー内の第１容器内の印刷用インクから溶剤が揮発すると第１容器内にて前記揮発した気体が充満して、前記第１容器の外部に漏れようとしても、第２容器内の前記溶剤の揮発気体がカバーとパッド板で囲まれた空間内に充満して飽和状態もしくは飽和状態に近い状態になっているので、前記第１容器内の印刷用インクおよび第１容器の側壁部の下端部に付着した印刷用インクから溶剤が揮発することを抑制し、前記第１容器内の印刷用インクおよび第１容器の側壁部の下端部に付着した印刷用インクの粘度を安定にすることができる。
【０００６】
さらに、請求項２記載の発明は、請求項１記載のパッド印刷用装置であって、前記印刷用インクの溶剤（複数の成分からなる前記溶剤の各成分のうち蒸発し易い成分を含むものを含む。）を入れる第３容器を備え、前記第３容器は前記第１容器内にて印刷用インクの上側に配設され、前記溶剤は揮発性であり、前記溶剤の揮発した気体が前記第１容器の内部に充満して飽和状態になることを特徴とするパッド印刷用装置である。
【０００７】
請求項２記載の発明により、前記印刷用インクの溶剤を入れる第３容器を備え、前記第３容器は前記第１容器内に入れられた印刷用インクの上側に配設され、前記溶剤は揮発性であり、前記溶剤が揮発した気体が前記第１容器の内部に充満して飽和状態になるので、前記印刷用インクから溶剤が揮発することを一層抑制し、印刷用インクの粘度を一層安定にすることができる。
【０００８】
さらに、請求項３記載の発明は、請求項２記載のパッド印刷用装置であって、前記第１容器は下側部分と上側部分とに分けられ、前記下側部分と前記上側部分は分離可能であることを特徴とするパッド印刷用装置である。
【０００９】
請求項３記載の発明により、前記第１容器は下側部分と上側部分とに分けられ、前記下側部分と前記上側部分は分離可能であるので、前記下側部分と前記上側部分を分離した状態では、第３容器を第１容器内に設置することが容易になる。
【００１０】
さらに、請求項４記載の発明は、請求項３記載のパッド印刷用装置であって、前記上側部分の内側には前記第３容器を支える支持部が形成され、前記支持部は複数の部分からなり、前記支持部の複数の部分の間を通って前記第３容器内の溶剤の揮発した気体が前記下側部分内に入り込むことを特徴とするパッド印刷用装置である。
【００１１】
請求項４記載の発明により、前記上側部分の内側には前記第３容器を支える支持部が形成され、前記支持部は複数の部分からなり、前記複数の支持部の間を通って前記第３容器内の溶剤の揮発した気体が前記下側部分内に入り込んで印刷用インクの表面を被うので、確実に第１容器内の印刷用インクの溶剤の揮発を抑制することができ、印刷用インクの粘度を確実に安定化することができる。
【００１２】
さらに、請求項５記載の発明は、請求項３または４記載のパッド印刷用装置であって、前記上側部分の上面は第２開口部であり、前記第２開口部を塞ぐ蓋が配設されていることを特徴とするパッド印刷用装置である。
【００１３】
請求項５記載の発明により、第１容器の上側部分の上面の第２開口部の蓋を開けることにより、第１容器の内部に第３容器を入れることが容易になる。
【００１４】
さらに、請求項６記載の発明は、請求項１〜５までのいずれかに記載したパッド印刷用装置であって、前記パッド版が強磁性体（例えば鉄、ステンレス）を含み、前記第１容器内に磁石が配設され、前記磁石が前記パッド版を磁力で吸引することを特徴とするパッド印刷用装置である。
【００１５】
請求項６記載の発明により、パッド印刷版が強磁性体を含むため、第１容器内に配設されている磁石がパッド版を磁力で吸引するので、第１容器がパッド版に吸着することになる。
【発明の効果】
【００１６】
請求項１記載の発明によれば、パッド印刷用インクの粘度を安定化することにより、パッド印刷作業中インクの粘度の経時変化を抑制してインク粘度を一定に保つことができ、印刷品質を保つことができる。このため、従来よりも長い時間印刷の品質レベルが落ちることなく印刷できるようになる。
さらに、請求項２記載の発明によれば、請求項１記載の発明の効果とともに、パッド印刷品質を一層安定に保つことができる。
さらに、請求項３記載の発明によれば、請求項２記載の発明の効果とともに、請求項２記載のパッド印刷用装置を構成することが容易になる。
【００１７】
さらに、請求項４記載の発明によれば、請求項３記載の発明の効果とともに、パッド印刷品質を保つことが一層容易になる。
さらに、請求項５記載の発明は、請求項３または４記載の発明の効果とともに、請求項３または４記載のパッド印刷用装置を構成することが容易になる。
さらに、請求項６記載の発明は、請求項１〜５記載の発明の効果とともに、パッド印刷作業を円滑に行うことができる。
【発明を実施するための最良の形態】
【００１８】
以下、本発明における実施の形態を図面に基づいて説明する。
図１は本発明の実施の形態に係るパッド印刷用装置の外観を示し、図２は図１のパッド印刷用装置のカバーを外した状態の平面を示し、図３は図１のパッド印刷用装置のカバーを外した状態の正面を示し、図４は図１のパッド印刷用装置のカバーを外した状態の側面を示す。さらに、図５は図２のパッド印刷用装置の第１容器およびその内部のＡ−Ａ断面を示し、図６は図５のＢ−Ｂ断面を示し、図７は図５の分解図であり、図８は図５の第１容器の下側部分の側面を示し、図９は図１のパッド印刷用装置のカバーを示し、図１０は図５の第１容器の内部を示し、図１１は図１のパッド印刷用装置を含むパッド印刷機全体を示す。
【００１９】
図１に示すパッド印刷用装置１０は図１１に示すパッド印刷機１に使用するものである。図１１に示すように、パッド印刷機１はパッド印刷用装置１０、パッド６２、パッド６２を動かすパッド移動部６３、制御盤６４、パッド印刷用装置１０を支えるベース６６およびワーク支持部７０を備えている。ワーク支持部７０にはワーク（印刷対象物）７１がセットされる。制御盤６４はパッド印刷機１の動作全体を制御するシーケンサである。具体的には、制御盤６４はパッド移動部６３および後述するエアシリンダ６７（図３参照）を制御してパッド印刷を行う。
【００２０】
図１に示すように、パッド印刷用容器１０は、印刷用インク６１（図５参照）を入れる第１容器２０と、カバー４０と、パッド版６０と、印刷用インク６１の溶剤を入れる第２容器３０と、フレーム６５とを備えている。また、６１ａは印刷用インク６１の液面である（図５参照）。パッド板６０は、平板状であり、その上面６０ａは長方形である。そして、パッド板６０は例えば、強磁性体の平板、強磁性体を含む樹脂で平板状に形成されたもの、樹脂の平板の下面を強磁性体の平板で裏打ちしたもの等である。
【００２１】
第１容器２０およびカバー４０はフレーム６５に支えられている。具体的には、図５の第１容器２０の側壁部２３の外面の下部の２箇所の凹部２３ｂ（図８参照）が図２のフレーム６５に螺合する第１ピン６８ａおよび第２ピン６８ｂ（図２、図４参照）により支えられている。
図９に示すように、カバー４０の下面は開口部４１であり、カバー４０の開口部４１の縁４２は図１のようにパッド板６０上に配設されてフレーム６５に支えられている。具体的には、図９に示すように、カバー４０の縁４２に凹部４２ａ、４２ｃがあり、凹部４２ａに半円状の切欠４２ｂが形成され、凹部４２ｃに半円状の切欠４２ｄが形成されている。そして、切欠４２ｂが図２のフレーム６５の側壁部６５ａの穴に螺合している第１ピン６８ａにより支えられている。また、切欠４２ｄが図２のフレーム６５の側壁部６５ｂの穴に螺合している第２ピン６８ｂにより支えられている。
【００２２】
図１のように、パッド板６０の平らな上面６０ａに文字、記号、模様等を示す窪み状の印刷パターン形成部６０ｂが設けられている。なお、印刷パターン形成部６０ｂの前記文字、記号、模様等は図示されていない。
図５のように、第１容器２０の底に第１開口部２２が形成され、第１容器２０の側壁部２３の下端部２３ａが第１開口部２２の縁２２ａとなる。
パッド版６０は第１容器２０を載せた状態で、第１容器２０の側壁部２３の下端部２３ａに対し摺動可能であり、図１のパッド版６０の印刷パターン形成部６０ｂはパッド版６０の摺動により第１容器２０の第１開口部２２（側壁部２３の下端部２３ａで囲まれた範囲）（図５参照）の下側からカバー４０の外の転写位置６９（図３参照）まで移動可能である。
図５のように、側壁部２３の下端部２３ａはパッド版６０の摺動によりパッド版６０の平らな上面６０ａの印刷パターン成形部６０ｂ以外の部分に塗布された印刷用インク６１をかきとることができるように形成されている。具体的には、側壁部２３の下端部２３ａは刃状先端部であり、パッド版６０の上面６０ａに付着した印刷用インク６１をかきとり易く形成されている。
【００２３】
また、図１のように、カバー４０内に第１容器２０および第２容器３０が配設されている。図２では第２容器３０は３つの容器３０ａ、３０ｂ、３０ｃに分かれている。具体的には、フレーム６５の両側の側壁部６５ａ、６５ｂ間に横棒６５ｃ、６５ｄが差し渡され、横棒６５ｃ、６５ｄが第２容器３０のうち容器３０ａの底を下から支えている。また、横棒６５ｃ、６５ｄはカバー４０の縁４２の凹部４２ａ、４２ｃ（図９参照）を支えている。同様に、フレーム６５の側壁部６５ａに付設された横棒６５ｅ、６５ｆ（図３参照）が第２容器３０のうち容器３０ｂの底を下から支えている。さらに、第２容器３０のうち容器３０ｃも容器３０ｂと同様に図示しない横棒（横棒６５ｅ、６５ｆに相当する。）により支えられている。
【００２４】
なお、各容器３０ａ、３０ｂ、３０ｃにはそれぞれ溶剤を浸すことができる部材３１ａ、３１ｂ、３１ｃが配設されている。部材３１ａ、３１ｂ、３１ｃは、例えば布、スポンジ等である。また、容器３０ａの上面開口部に差し渡されている支持棒３０ｅ、３０ｆ、３０ｇに溶剤を浸すことができる部材３１ａが掛けられている。
【００２５】
第２容器３０内には印刷用インク６１（図５参照）の溶剤（複数の成分からなる前記溶剤の各成分のうち蒸発し易い成分を含むものを含む。）が入れられている。第２容器３０内の前記溶剤は揮発性であり、前記溶剤の揮発した気体がカバー４０とパッド板６０で囲まれた空間内に充満して飽和状態もしくは飽和状態に近い状態になる。具体的には、図９のようにカバー４０の縁４２に凹部４２ａ、４２ｃおよび切欠４２ｂ、４２ｄが形成され、下面は開口部４１であるので、図２のように、カバー４０およびパッド版６０にて囲われた空間が形成される。そして前記囲われた空間を形成するカバー４０およびパッド版６０相互の間には多少の隙間ができるので、前記囲われた空間は完全な密閉空間にはならない。このため、前記第２容器３０内に入れられた溶剤の揮発した気体は前記カバー４０およびパッド版６０にて囲われた空間内に充満して飽和状態もしくは飽和状態に近い状態になる。
【００２６】
さらに、図５に示すように、印刷用インク６１の溶剤（複数の成分からなる前記溶剤の各成分のうち蒸発し易い成分を含むものを含む。）を入れる第３容器５０を備え、第３容器５０は第１容器２０内に入れられた印刷用インク６１の上側に配設され、第３容器５０内の前記溶剤は揮発性であり、第３容器５０内の前記溶剤が揮発した気体が第１容器２０の内部に充満して飽和状態になる。なお、第３容器５０の内部には前記溶剤を浸すことができる部材５１が配設されている。なお、部材５１は布、スポンジ、綿等である。
さらに、第１容器２０は下側部分２１と上側部分２６とに分けられ、下側部分２１と上側部分２６は分離可能である。なお、下側部分２１と上側部分２６との連結部の隙間を塞ぐシール材２６ａ（例えばＯリング）が側壁部２３の上側部分２６の溝に配設されている。
【００２７】
さらに、図６に示すように、上側部分２６の内側には第３容器５０を支える支持部２７が形成され、支持部２７は複数（図６では８個）の部分２７ａからなり、複数の部分２７ａの間を通って第３容器５０内の溶剤の揮発した気体が下側部分２１（図５参照）内に入り込む。なお、支持部２７は側壁部２３の上側部分２６側部分と一体に形成され、各部分２７ａの先端部は円弧２７ｘ上に配設され、各部分２７ａ相互の間には円形の切欠２７ｂが形成されている。
図５に示すように、上側部分２６の上面は第２開口部２８であり、この第２開口部２８を塞ぐ蓋２９が配設されている。なお、上側部分２６と蓋２９との間の隙間を塞ぐシール材２９ａが蓋２９の側面の溝に配設されている。また、蓋２９にはつまみ２９ｂが付設されている。
【００２８】
さらに、図５および図７に示すように、下側部分２１内に磁石２４が配設されている。
具体的には、また、磁石２４はリング状であり、磁石２４の内側面とボルト２４ｄとの間にカラー２４ｃが嵌合し、磁石２４はボルト２４ｄにより磁石取り付け板２４ａの下面に取り付けられる。図１０に示すように、この磁石取り付け板２４ａの１２０度間隔の３つの張り出し部２４ｂが３箇所の磁石支持部２５に支持される。各張り出し部２４ｂの先端部には磁石２４ｂａが取り付けられている。
各磁石支持部２５は１２０度間隔で下側部分２１の側壁部２３の内側に形成されている。各磁石支持部２５は異なる３種類の高さ（側壁部２３の下端部２３ａ（図５参照）からの高さ）に設定してある。このため、３種類の高さを選択することにより、磁石２４の取り付け位置の側壁部２３の下端部２３ａ（図５参照）からの高さを調節し、図５に示す第１容器２０とパッド版６０とが吸引する磁力を３種類に調節することができる。
具体的には、図１０に示すように、各磁石支持部２５は平坦部２５ａ、第１窪み部２５ｂ、図示しない第２窪み部（第１窪み部２５ｂより高さが低く形成されている）からなり、平坦部２５ａには磁石２５ａａが埋め込まれ、第１窪み部２５ｂには磁石２５ｂａが埋め込まれている。さらに、前記第２窪み部には図示しない磁石（磁石２５ｂａに相当する）が埋め込まれている。
図１０では張り出し部２４ｂが前記第２窪み部に設置されている。そして、各張り出し部２４ｂの磁石２４ｂａと前記第２窪み部の磁石とが吸引しあって張り出し部２４ｂの位置決めがなされる。
【００２９】
図３のように、制御盤６４（図１１参照）により制御されるエアシリンダ６７のピストン６７ａによりパッド版６０の印刷パターン形成部６０ｂが第１容器２０の下から押し出され、パッド版６０の先端の二点鎖線で示す位置が実線で示す位置にまで移動する（図３参照）。具体的には、ピストン６７ａの先端に係止部材６７ｂが取り付けられ、また、パッド版６０の下面６０ｃに被係止部材６０ｄが付設されている。そして、係止部材６７ｂが被係止部材６０ｄに係止するので、パッド版６０がエアシリンダ６７により押されたり、引かれたりされる。
なお、パッド版６０が実線で示す位置にある場合でも二点鎖線で示す位置にある場合でも、カバー４０の開口部４１の縁４２はパッド版６０上にある。
【００３０】
転写位置６９に押し出されたパッド版６０の上面６０ａの印刷パターン形成部６０ｂに印刷用インク６１が溜まる。この溜まった印刷用インク６１の上に制御盤６４により制御されるパッド移動部６３によりパッド６２が押し付けられ、印刷パターン形成部６０ｂに溜まった印刷用インク６１がパッド６２に付着することにより、印刷パターン形成部６０ｂの文字、記号、模様等がパッド６２に転写される。
さらに、図１１のように、パッド６２がパッド移動部６３に制御されて矢印６２ａの方向に移動しワーク支持部７０に支持されたワーク７１に印刷パターン形成部６０ｂの文字、模様等を印刷する。このようにして、パッド印刷が行われる。なお、エアーブロー７２がワーク支持部７０に付設されている。エアーブロー７２がワーク７１およびパッド６２にエアーを吹き付けてワーク７１およびパッド６２を乾燥させる。
その後、パッド６２はパッド移動部６３により転写位置に戻されて、第１容器２０にて印刷用インク６１が付着した印刷パターン形成部６０ｂの文字、記号、模様等がパッド６２に転写される。
【００３１】
なお、印刷用インク６１（図５参照）の主な成分は、ブチルグリコールアセテート、４−ヒドロキシー４−メチルー２−ペンタノン、ソルベントナフサ、シクロヘキサノン、キシレン、ブチルグリコレート、酢酸ブチル、ベンジルアルコール、プロピレングリコールメチルエーテルアセテート、芳香族混合単化水素等である。上記印刷用インク６１の主な成分のいくつかを組み合わせて種々の印刷用インク６１を構成することができる。
また、印刷用インク６１の溶剤の主な成分はプロピレングリコールモノメチルエーテルアセテート、シクロヘキサン、芳香族炭化水素、酢酸ブチル、キシレン等である。上記溶剤の主な成分のいくつかを組み合わせて種々の印刷用インク６１の溶剤を構成することができる。
【００３２】
上記構成のパッド印刷用装置１０は、以下の動作をする。
第１容器２０およびカバー４０は前記フレームに支えられている。第１容器２０は底に第１開口部２２が形成され、第１開口部２２の縁２２ａとなる側壁部２３が形成されている。
そして、パッド版６０は第１容器２０を載せた状態で、第１容器２０の側壁部２３の下端部２３ａに対し摺動可能であり、下端部２３ａはパッド版６０の摺動によりパッド版６０に塗布された印刷用インク６１の余分な部分をかきとる。このため、パッド板６０の印刷パターン形成部６０ｂを第１容器２０の下から引き出したときに、パッド版６０の上面６０ａに形成された印刷パターン形成部６０ｂに印刷用インク６１が残るとともに、パッド版６０の上面６０ａの印刷パターン形成部６０ｂ以外の部分には印刷用インク６１が付着しない状態になる。
【００３３】
さらに、カバー４０の下面は開口部４１であり、カバー４０の開口部４１の縁４２はパッド板６０上に載置されている。そして、カバー４０内に第１容器２０および第２容器３０が配設され、前記溶剤は揮発性であり、第２容器３０内の前記溶剤の揮発気体がカバー４０内に充満して飽和状態もしくは飽和状態に近い状態になる。
このため、カバー４０内の第１容器２０内の印刷用インク６１から溶剤が揮発すると第１容器２０内にて前記揮発した気体が充満して、第１容器２０の外部に漏れようとしても、第２容器３０内の前記溶剤の揮発気体がカバー４０内に充満して飽和状態もしくは飽和状態に近い状態になっているので、第１容器２０内の印刷用インク６１および第１容器２０の側壁部２３の下端部２３ａに付着した印刷用インク６１から溶剤が揮発することを抑制し、第１容器２０内の印刷用インク６１および第１容器２０の側壁部２３の下端部２３ａに付着した印刷用インク６１の粘度を安定にすることができる。
【００３４】
さらに、前記印刷用インク６１の溶剤を入れる第３容器５０を備え、第３容器５０は第１容器２０内に入れられた印刷用インク６１の上側に配設され、前記溶剤は揮発性であり、前記溶剤が揮発した気体が第１容器２０の内部に充満するので、印刷用インク６１から溶剤が揮発することを一層抑制し、印刷用インク６１の粘度を一層安定にすることができる。
【００３５】
第１容器２０の側壁は下側部分２１と上側部分２６とに分けられ、下側部分２１と上側部分２６は分離可能であるので、第３容器５０を第１容器２０内に設置することが容易になる。
【００３６】
さらに、上側部分２６の内側には第３容器５０を支える支持部２７が形成され、支持部２７は複数の部分２７ａからなり、複数の部分２７ａの間を通って第３容器５０内の溶剤の揮発した気体が下側部分２１内に入り込むので、確実に第１容器２０内の印刷用インク６１の溶剤の揮発を抑制することができ、印刷用インク６１の粘度を確実に安定化することができる。
【００３７】
さらに、第１容器２０の上側部分２６の上面の第２開口部２８の蓋２９を開けることにより、第１容器２０の内部に第３容器５０を入れることが容易になる。
【００３８】
さらに、パッド版６０が強磁性体（例えば鉄、ステンレス）を含んでいるときは、第１容器２０の下側部分２１内に配設されている磁石２４がパッド版６０を磁力で吸引するので、第１容器２０の下側部分２１がパッド版６０に吸着することになる。
【００３９】
なお、上記実施の形態において、第１容器２０の外形は円筒状であるが、これに限定されず、例えば角柱状等でもよい。
また、カバー４０の外形は直方体状であるが、これに限定されず、例えばドーム状等でもよい。
また、第２容器３０は３つの容器３０ａ、３０ｂ、３０ｃに分かれているが、これに限定されず、第２容器３０は１つの容器でもよいし、第２容器３０の数は３以外でもよい。
また、カバー４０、パッド版６０およびフレーム６５の両方の側壁部６５ａ、６５ｂ（カバー４０を挟むように配設されている。）にて囲われた空間はカバー４０とパッド版６０で囲われた空間よりも隙間が少なくなるので、カバー４０、パッド版６０およびフレーム６５の両方の側壁部６５ａ、６５ｂで囲われた空間内においては前記第２容器内の前記溶剤の揮発気体が充満して飽和状態に一層なり易くなる。
また、カバー４０の縁４２の凹部４２ａ、４２ｃおよび切欠４２ｂ、４２ｄの大きさを小さくしてもカバー４０とパッド版６０で囲われた空間内においては前記第２容器内の前記溶剤の揮発気体が充満して飽和状態に一層なり易くなる。
【図面の簡単な説明】
【００４０】
【図１】本発明の実施の形態に係るパッド印刷用装置の外観を示す斜視図である。
【図２】図１のパッド印刷用装置のカバーを外した状態の平面図である。
【図３】図１のパッド印刷用装置のカバーを外した状態の正面図である。
【図４】図１のパッド印刷用装置のカバーを外した状態の側面図である。
【図５】図２のパッド印刷用装置の第１容器およびその内部のＡ−Ａ断面を示す部分図である。
【図６】図５のＢ−Ｂ断面図である。
【図７】図５の分解断面図である。
【図８】図５の第１容器の下側部分の側面を示す部分図である。
【図９】図１のパッド印刷用装置のカバーを示す部分図である。
【図１０】図５の第１容器の内部を示す部分斜視図である。
【図１１】図１のパッド印刷用装置を含むパッド印刷機の全体を示す斜視図である。
【符号の説明】
【００４１】
１  パッド印刷機
１０  パッド印刷用装置
２０  第１容器
２１  下側部分
２２  第１開口部
２３  側壁部
２３ａ  下端部
２４  磁石
２６  上側部分
２７  支持部
２７ａ  部分
２８  第２開口部
２９  蓋
３０  第２容器
４０  カバー
５０  第３容器
６０  パッド版
６０ａ  上面
６０ｂ  印刷パターン形成部
６１  印刷用インク
６２  パッド
６５  フレーム
６９  転写位置
７０  ワーク支持部
７１  ワーク
【図１】
0004477074.tif 000002
【図２】
0004477074.tif 000003
【図３】
0004477074.tif 000004
【図４】
0004477074.tif 000005
【図５】
0004477074.tif 000006
【図６】
0004477074.tif 000007
【図７】
0004477074.tif 000008
【図８】
0004477074.tif 000009
【図９】
0004477074.tif 000010
【図１０】
0004477074.tif 000011
【図１１】
0004477074.tif 000012